(57)【要約】【課題】歯科治療において、セメントリテインの際の余剰歯科用セメントが歯肉溝に侵入するのを簡便かつ確実に防止し得る手段を提供する。【解決手段】歯科治療に用いられる余剰歯科用セメントによる炎症を防止する炎症防止シートの使用方法であって、ゴム製及び／又はプラスチック製の伸縮可能なシートに設けられた孔を治療歯に挿通し、前記シートが治療歯の歯周部全体をカバーするようにセットし、次いで前記治療歯にクラウンを被せてこの両者を歯科用セメントで接着し、その後前記クラウンのつけ根からはみ出した余剰歯科用セメントが付着した前記炎症防止シートを取り除く。【選択図】図１
2019021337.tif 000002
【特許請求の範囲】
【請求項１】
歯科治療に用いられる余剰歯科用セメントによる炎症を防止する炎症防止シートの使用方法であって、
ゴム製及び／又はプラスチック製の伸縮可能なシートに設けられた孔を治療歯に挿通し、前記シートが治療歯の歯周部全体をカバーするようにセットし、
次いで前記治療歯に詰め物を充填又はクラウンを被せてこの両者を歯科用セメントで接着し、
その後前記クラウンのつけ根からはみ出した余剰歯科用セメントが付着した前記炎症防止シートを取り除くことを特徴とする炎症防止シートの使用方法。
【請求項２】
顎骨にフィクスチャーを埋め込み、これにアバットメントを接合し、前記アバットメントに歯冠を被せてこの両者を歯科用セメントで接着する歯科インプラント治療に用いられる余剰歯科用セメントによる炎症を防止する炎症防止シートの使用方法であって、
ゴム製及び／又はプラスチック製の伸縮可能なシートに設けられた孔を前記アバットメントに挿通し、歯肉溝の周部をカバーするようにセットし、
前記歯冠を前記アバットメントに被せて前期歯科用セメントで接着した後、前記歯冠と前記アバットメントの継目からはみ出した余剰歯科用セメントが付着した前記炎症防止シートを取り除くことを特徴とする炎症防止シートの使用方法。
【請求項３】
余剰歯科用セメントが付着した前記炎症防止シートの取除きを、前記セメントが硬化する前に行なうことを特徴とする請求項１又は２に記載の炎症防止シートの使用方法。
【請求項４】
前記孔は炎症防止シートの中央に設けられた切り込みであることを特徴とする請求項1から３のいずれかに記載の炎症防止シートの使用方法。
【請求項５】
虫歯部分を切削した治療歯に詰め物又は被覆冠を被せて、前記治療歯と前記詰め物又は被覆冠とを歯科用セメントで接着する余剰歯科用セメントによる炎症を防止する炎症防止シートであって、
中央部に孔を有し、前記孔に前記治療歯を挿通して、前記治療歯の歯周部全体をカバーするようにセットするゴム製又はプラスチック製の伸縮可能な薄シートからなることを特徴とする炎症防止シート。
【請求項６】
顎骨にフィクスチャーを埋め込み、これにアバットメントを接合し、前記アバットメントに歯冠を被せてこの両者を歯科用セメントで接着する歯科インプラント治療に用いられる歯科用余剰セメントによる炎症を防止する炎症防止シートであって、
前記アバットメントの径よりやや小さい孔を有し、前記孔に前記アバットメントを挿通して、前記治療対象の歯の歯周部全体をカバーするようにセットするゴム製及び／又はプラスチック製の伸縮可能なシートであることを特徴とする炎症防止シート。
【請求項７】
前記シートの厚みが０．０５〜１．０ｍｍであることを特徴とする請求項５又は６に記載の炎症防止シート。
【請求項８】
前記シートが撥水性を有するシリコーン系樹脂又はフッ素系樹脂からなる請求項５から７のいずれかに記載の炎症防止シート。
【請求項９】
前記孔の形状が円、☆、◇、×のいずれかであることを特徴とする請求項５から８のいずれかに記載の炎症防止シート。
【請求項１０】
前記シートが着色されていることを特徴とする請求項５から８のいずれかに記載の炎症防止シート。
【発明の詳細な説明】
【技術分野】
【０００１】
本発明は、歯科治療において用いられる余剰歯科用セメントに起因する歯周部の炎症を防止するための炎症防止シートの使用方法、及びその使用方法に用いる炎症防止シートに関する。
【背景技術】
【０００２】
歯科における虫歯の治療は、虫歯部分を切削し切削部に詰め物(「インレー」)を充填する、あるいは切削した歯を土台（支台歯）にして被覆冠（「歯冠」又は「クラウン」）を被せる治療がひろく行われている。また、歯科治療法の一つとして、近年、インプラント治療が広く普及するようになってきており、歯の抜けた顎骨に人工歯根を埋め込み、その上に人工の歯を固定する治療も行われている。インプラント治療は、手術を必要とし、治療費が大きいという難点はあるが、義歯床より見た目が良く、かつ噛み応えも良好なことから、患者のニーズが高まっている。【０００３】
図９は一般的に行われている虫歯治療を説明する図であり、図９（ａ）は虫歯の部分のみを切削し、白い部分をできるだけ残し、切削部２１にインレー８ａを充填する詰め物による治療を示した図である。図９（ｂ）は歯全体を削り、これを支台歯としてクラウンを被せる治療を示した図である。このような虫歯治療におけるインレーと歯との接合、クラウンと歯との接合には歯科用セメントが用いられ、切削部分やクラウンの内側に歯科用セメントが充填される。【０００４】
図１０はインプラント治療におけるインプラントした歯の断面概要図である。虫歯治療とは異なり、歯科のインプラント治療は、まずフィクスチャーと呼ばれる金属（とくにチタン）製の人工歯根２を螺合により顎の歯槽骨１に埋め込み、次いで支持連結部材であるアバットメント３をフィクスチャーにネジ止めし、さらにその上に歯の上部構造（「歯冠」又は「クラウン」）を被せ、アバットメント３と歯冠８とを接合する。【０００５】
アバットメント３と歯冠８との接合方法には、ネジ止めする方法（スクリューリテイン）と、図１０に示すような歯科用セメント層１１で接着する方法（セメントリテイン）とが主に用いられている。その中でも、セメントリテインは、治療された歯の見た目の良さ、咬合調整の簡便さ、費用の安さ等から、歯冠接合の主流になっている。【０００６】
一方、虫歯治療やインプラント治療のセメントリテインにおいて、支台歯や歯冠の付け根からはみ出した余剰歯科用セメントの為害性が問題視されるようになってきた。これは、余剰歯科用セメントが歯肉溝（歯周ポケット）に入り込み、その除去が難しいため、歯周部に炎症を起こすという問題である。かかる炎症が進行すると歯周病の進行の原因となる。【０００７】
また、インプラント治療ではインプラントが脱落するというようなトラブルになることがある。特に、インプラント治療におけるチタン製のフィクスチャーでは、天然歯と比較して、歯肉溝の内部組織との密着性が低く、歯肉溝が深くなり易い。このため余剰歯科用セメントが歯肉溝の深部まで入り込む場合があり、かかる場合のその除去は極めて困難である。【０００８】
歯科用セメントの残留は、炎症原因菌の温床となり、歯周部の炎症やインプラントの脱落を引き起こしていると考えられ、かかる余剰歯科用セメントによる問題を防止する抜本的な解決策が得られていないのが現状である。【０００９】
【非特許文献１】鈴木貴規；日本歯科先端技術研究所学術会誌，Ｖｏｌ．２０，Ｎｏ．４，２３５−２４０，２０１４
【発明の開示】
【発明が解決しようとする課題】
【００１０】
上述したように、歯科用セメントの残留は、炎症原因菌の温床となり、歯周部の炎症やインプラントの脱落を引き起こす原因となっている。クラウンと支台歯との継ぎ目（マージン部）、歯冠とアバットメント（支台）の継目（マージン部）からはみ出した余剰歯科用セメントは、歯科用の探針やスケーラーで比較的容易に除去することができるが、歯肉溝深くに入った歯科用セメントの除去は非常に困難となる。ステンレス鋼製の探針で無理に余剰歯科用セメントを掻き出そうとすると、支台歯やアバットメントの表面に疵を付けて歯周病菌の繁殖を助長するおそれが有る。また、スケーラーで歯肉溝深部の余剰歯科用セメントを除去するのも難しい。【００１１】
余剰歯科用セメントが歯肉溝に入り込むか否かは、マージン部の位置にも依存する。マージン部が歯肉縁より少し上にある場合は、余剰歯科用セメントが歯肉溝の深部まで入り込むケ−スは少ないが、マージン部が歯肉縁と同レベル又は下方にある場合は、余剰歯科用セメントは容易に歯肉溝の深部まで入り込むことになる。【００１２】
余剰歯科用セメントの害を低減するという観点からは、マージン部を歯肉縁より高くすることが望ましいが、マージン部が見え易くなるため、審美性の観点から好ましくない。したがって、マージン部が歯肉縁より下方にあっても、余剰歯科用セメントが歯肉溝に入り込むことを防止できるような方法があれば、上記の問題は一挙に解決されることになる。しかし、かかる手段は未だ全く見出されていない。【００１３】
そこで、本発明は、虫歯治療や歯科インプラント治療におけるセメントリテインの際に詰め物やクラウン、あるいはマージン部からはみ出す余剰歯科用セメントの歯肉溝への侵入を防止するための新規な手段を提供し、もって余剰歯科用セメントによる歯周部の炎症の問題を抜本的に解決することを課題としている。
【課題を解決するための手段】
【００１４】
上記課題を解決するための本発明の余剰歯科用セメントによる炎症防止シートの使用方法は、歯科治療に用いられる歯科用余剰歯科用セメントによる炎症を防止する炎症防止シートの使用方法であって、
ゴム製及び／又はプラスチック製の伸縮可能なシートに設けられた孔を治療歯に挿通し、前記シートが治療歯の歯周部全体をカバーするようにセットし、
次いで前記治療歯に詰め物を充填又は被覆冠を被せてこの両者を歯科用セメントで接着し、
その後前記クラウンのつけ根からはみ出した余剰歯科用セメントが付着した前記炎症防止シートを取り除くことを特徴とする。【００１５】
また、本発明の余剰歯科用セメントによる炎症防止シートの使用方法は、顎骨にフィクスチャーを埋め込み、これにアバットメントを接合し、前記アバットメントに歯冠を被せて、この両者を歯科用セメントで接着する歯科インプラント治療に用いられる余剰歯科用セメントによる炎症を防止する炎症防止シートの使用方法であって、
ゴム製及び／又はプラスチック製の伸縮可能なシートに設けられた孔を前記アバットメントに挿通し、歯肉溝の周部をカバーするようにセットし、
前記歯冠を前記アバットメントに被せて歯科用セメントで接着した後、前記歯冠と前記アバットメントの継目からはみ出した余剰歯科用セメントが付着した前記炎症防止シートを取り除くことを特徴とする。【００１６】
上記の炎症防止シートの使用方法においては、余剰歯科用セメントが付着した前記炎症防止シートの取除きを、前記セメントが硬化する前に行なうことが望ましい。また、前記孔は炎症防止シートの中央に設けられた切り込みであることは好ましい。【００１７】
本発明は、虫歯部分を切削した治療歯に詰め物又は被覆冠を被せて、前記治療歯と前記詰め物又は被覆冠とを歯科用セメントで接着する余剰歯科用セメントによる炎症を防止する炎症防止シートであって、
中央部に孔を有し、前記孔に前記治療歯を挿通して、前記治療歯の歯周部全体をカバーするようにセットするゴム製又はプラスチック製の伸縮可能なシートであることを特徴とする炎症防止シートである。【００１８】
また、本発明は、顎骨にフィクスチャーを埋め込み、これにアバットメントを接合し、前記アバットメントに歯冠を被せてこの両者を歯科用セメントで接着する歯科インプラント治療に用いられる歯科用余剰セメントによる炎症を防止する炎症防止シートであって、
前記アバットメントの径よりやや小さい孔を有し、前記孔に前記アバットメントを挿通して、前記治療対象の歯の歯周部全体をカバーするようにセットするゴム製及び／又はプラスチック製の伸縮可能なシートであることを特徴とする炎症防止シートである。【００１９】
上記の炎症防止シートは、その厚みが０．０５〜１．０ｍｍであることが好ましい。
また、上記の炎症防止シートは、撥水性を有するシリコーン系樹脂又はフッ素系樹脂からなるものであることは好ましい。また前記孔は円孔又は☆孔又は×孔であることは好ましく、シートに予め、赤、青、緑等に着色しておくことが望ましい。着色されていることでシートの視認が容易となるためである。
【発明の効果】
【００２０】
本発明により、歯科治療及び歯科インプラント治療において、セメントリテインの際にマージン部からはみ出す余剰歯科用セメントの歯肉溝への侵入を、簡易な手段で確実に防止することが可能になった。これにより、歯科治療及び歯科インプラント治療における余剰歯科用セメントによる歯周部の炎症の問題を抜本的に解決することが可能になった。
【発明を実施するための最良の形態】
【００２１】
以下、本発明の好ましい実施形態について説明する。図１は、虫歯部分を切削した支台歯３cの上にクラウン８ｂを被せる治療において、本発明の炎症防止シートの使用法の作業手順を説明する図である。図１（ａ）に示すように、炎症防止シート４の中央に設けられた孔５を、支台歯３cに挿通して、炎症防止シート４が歯肉６の上部、とくに歯肉溝７の全周をカバーするようにセットする。【００２２】
孔５の径は支台歯３の径より、やや小さくなっている。炎症防止シート４は伸縮性があるため、図１（ｂ）に示すように孔５の縁に折り曲げ部５ａが形成され、この部分が支台歯３を締め付けるため、炎症防止シート４が支台歯３に密着する。【００２３】
次いで、図１（ｃ）に示すように、クラウン８ｂを支台歯３ｃに被せて、歯科用セメントで接着する。すなわち、クラウン８ｂの内周及び／又は支台歯３ｃの外周に予め歯科用セメントを塗布しておき、クラウン８ｂを支台歯３ｃに被せる。この時、クラウン８ｂと支台歯３ｃの継目（マージン部）から余剰歯科用セメントがはみ出して来る。【００２４】
マージン部は円孔の折り曲げ部５ａより上にあるため、はみ出した余剰歯科用セメントは、炎症防止シート４の表面を流動し、余剰歯科用セメント層９が形成される。また、炎症防止シート４が支台歯３ｃに密着しているため、余剰歯科用セメントの歯肉溝７への侵入を防止することができる。【００２５】
次に、炎症防止シート４の端部を（ピンセット等で）摘んで引き上げると、孔５が拡大し、炎症防止シート４はクラウン８ｂから外れる。また、炎症防止シート４には、余剰歯科用セメント層９が付着し難い（剥離し易い）撥水性の材質のものを用いているので、炎症防止シート４の変形に伴って、余剰歯科用セメント層９が剥離・破断し、容易に取り除くことができる。これにより、余剰歯科用セメントが歯肉溝７に入り込むのを確実に防止することができる。【００２６】
図２は、本発明のインプラント治療における炎症防止シートの使用法の作業手順の説明図である。図２（ａ）に示すように、歯槽骨１内にフィクスチャー２を埋め込み、このフィクスチャー２にアバットメント３をネジ止めする。その後、図２（ｂ）に示すように、炎症防止シート４の中央に設けられた孔５に、アバットメント３を挿通して、炎症防止シート４が歯肉６の上部、とくに歯肉溝７の全周をカバーするようにセットする。【００２７】
この際孔５の径は、アバットメント基部３ａの径より、やや小さくなっている。また、炎症防止シート４には伸縮性があるため、孔５の縁に折り曲げ部５ａが形成され、この部分がアバットメント基部３ａを締め付けるため、炎症防止シート４がアバットメント基部３ａに密着する。【００２８】
次いで、図２（ｃ）に示すように、歯冠８をアバットメント３に被せて、歯科用セメントで接着する。すなわち、歯冠８の内周及び／又はアバットメント３の外周に予め歯科用セメントを塗布しておき、歯冠８をアバットメント３に被せる。この時、歯冠８とアバットメント３の継目（マージン部）から余剰歯科用セメントがはみ出して来る。【００２９】
マージン部は孔の折り曲げ部５ａより上にあるため、はみ出した余剰歯科用セメントは、炎症防止シート４の表面を流動し、余剰歯科用セメント層９が形成される。また、炎症防止シート４がアバットメント３に密着しているため、余剰歯科用セメントの歯肉溝７への侵入を防止することができる。【００３０】
次いで、図２（ｄ）に示すように、炎症防止シート４の端部を（ピンセット等で）摘んで引き上げると、孔５が拡大し、炎症防止シート４はクラウン８の径の大きい部分を通過するようになる。また、炎症防止シート４には、余剰歯科用セメント層９が付着し難い（剥離し易い）撥水性の材質のものを用いているので、炎症防止シート４の変形に伴って、余剰歯科用セメント層９が剥離・破断し、容易に取り除くことができる。これにより、余剰歯科用セメントが歯肉溝７に入り込むのを確実に防止することができる。【００３１】
本発明の炎症防止シートの使用方法のキーポイントの第一は、炎症防止シート４の中央付近に孔を設け、これに治療歯、支台歯あるいはアバットメントを挿通して歯周部をカバーするため、歯肉溝の全周を簡便かつ確実にカバーし得るようにしたことである。【００３２】
また、キーポイントの第二は、炎症防止シート４に伸縮性のある材料を用い、その孔５の径を、アバットメント基部３ａの径より小さくすることによって、孔５の縁５ａがアバットメント基部３ａを締め付けるようになり、両者の隙間から余剰歯科用セメントが漏れるの確実に防止できるようにしたことである。【００３３】
図３は、本発明の炎症防止シートの形状を示す図で、図３（ａ）は平面図、図３（ｂ）は側面図である。この炎症防止シート４は正方形で、辺の長さＬは１０ｍｍ、円孔の径ｄは３．５ｍｍでであった。また、シートの厚み（ｔ）は０．２ｍｍのものを用いた。【００３４】
ただし、本発明の炎症防止シートは、正方形のものに限る必要はなく、長方形であっても、円形、楕円形等、様々な形状であって良い。その寸法も上記の値に限る必要は無い。要はカバーすべき歯肉部の広さを勘案して適切なサイズを選択すれば良い。孔も円に限定されず、☆形、◇形、×形等、様々な形状でよく、円孔の径ｄも上記の値に限る必要は無く、治療歯、支台歯、アバットメント基部の径を勘案して、適切な径のものを選べば良い。或いは、径ｄの異なる炎症防止シートを多数用意して、治療現場で適切な径のものを選んで使うことも考えられる。【００３５】
シートの厚みｔも上記の値に限る必要は無いが、０．０５〜１．０ｍｍの範囲であることが望ましい。ｔが０．０５ｍｍ未満では、セットの途中で破断するおそれがあり、ｔが１．０ｍｍを超えると、柔軟性が不足してハンドリングし難くなるためである。【００３６】
炎症防止シートの材質は、撥水性のあるもの、例えばシリコーン樹脂系やフッ素樹脂系のものが好ましい。シートに付着した余剰の歯科用セメントの剥離が容易になるためである。本実施例では、シリコーン樹脂系の伸縮性のあるシートを用いた。ちなみに、このシートの引張強さ（引張破断応力）は５．１Ｎ、破断伸びは５９．３％であった。【００３７】
図４は炎症防止シートの他の形状を示す図である。図４（ａ）、（ｂ）は治療歯、支台歯、アバットメント等を貫通させる孔が×形の炎症防止シートの形状を示したものであり、図４（ｃ）、（ｄ）は☆形の炎症防止シートの形状を示したものである。治療歯等を貫通させる孔が×形のものは円孔に比較し治療歯等を貫通させ難いが、歯肉周囲を覆う面積を大きくすることができ余剰歯科用セメントの歯肉溝への入り込みをより確実に防止することができる。また、☆形孔の炎症防止シートは、治療歯等を貫通させやすく、かつ治療歯の一部を上部まで覆うことができる、というメリットがある。【００３８】
図５はインプラント治療における、隣の歯が近接している場合の炎症防止シート４の使用方法の説明図である。この場合には、図５（ａ）に示すように、炎症防止シート４の孔５に、アバットメント３を挿通して、炎症防止シート４をセットする際に、隣接する歯１０が邪魔になる。しかし、炎症防止シート４の縁を隣接する歯１０の側面に沿って上方に折り曲げておけば何ら支障はない。【００３９】
この状態で、図５（ｂ）に示すように、クラウン８をアバットメント３に被せれば、隣接する歯１０の方には、殆ど隙間が生じない。それ故、余剰歯科用セメントはこの方向にははみ出さず、大部分がそれ以外の方向（前後及び反対側）にはみ出してくる。したがって、炎症防止シート４を取り除くことにも、とくに支障は生じない。【００４０】
クラウン８と隣接の歯１０との歯間の隙間がとくに小さくて、炎症防止シート４を上方に引き抜けないような場合には、炎症防止シート４の一部を切断し、隙間に挟まったシートを前方に引き出せば、問題無く取り除くことができる。なお図３は、隣接する歯が片側のみに有る場合を示しているが、これが両側にあっても支障が無いことが確かめられている。なお、このことはインプラント治療に限られず、インレーやクラウンを用いる虫歯治療においても同様に適用される。【００４１】
本発明の炎症防止シートは、極めて小型かつ軽量であるため、ハンドリングの際に、散逸し易いという問題がある。そのため、このシートの製造・運搬・保管等においては、集合型のシートにすることが望ましい。図６は、本発明の一実施例である中央部に円孔を設けた炎症防止シートの集合型シートの形状の例を示す図で、図６（ａ）は１列のシート、図６（ｂ）は複数列のシートの場合である。【００４２】
この集合シートをその破線の部分で切断すれば、単離シートが得られる。このシートは薄いゴム又はプラスチックスからなるものであるから、治療現場等において、ハサミやナイフで容易に切断することができる。さらに、シリコーン系樹脂やフッ素系樹脂の薄いシートは、通常は透明又は半透明で、歯茎にセットしたときに、その位置を識別し難い。そのため、シートを予め、赤、青、緑等に着色しておくことが望ましい。【００４３】
図７は、本発明の炎症防止シートの他の実施例である中央部に☆形の孔を設けた炎症防止シートの集合型の例を示す図であり、図７（ａ）は１列のシート、図７（ｂ）は複数列のシートの場合である。図８は、本発明の他の実施例である中央部に×の切込みを入れた×形の孔を設けた炎症防止シートの集合型の例を示す図であり、図８（ａ）は１列のシート、図８（ｂ）は複数列のシートの場合である。これらの集合シートは、上述した中央部に円孔を設けた炎症防止シートと同様の材質であり、同様の特徴を備えている。
【図面の簡単な説明】
【００４４】
【図１】虫歯部分を切削した支台歯３ｃの上に全部クラウン８ｂを被せる治療において、本発明の炎症防止シートの使用法の作業手順の説明図である。
【図２】本発明のインプラント治療における炎症防止シートの使用法の作業手順の説明図である。
【図３】本発明の一実施例である炎症防止シートの形状を示す図である。
【図４】炎症防止シートの他の形状を示す図である。
【図５】インプラント治療における、隣の歯が近接している場合の炎症防止シートの使用方法の説明図である。
【図６】本発明の一実施例である中央部に円孔を設けた炎症防止シートの集合型シートの形状の例を示す図である。
【図７】本発明の一実施例である中央部に☆形孔を設けた炎症防止シートの集合型シートの形状の例を示す図である。
【図８】本発明の一実施例である中央部に×の切込みを入れた×形孔の炎症防止シートの集合型シートの形状の例を示す図である。
【図９】虫歯治療方法を説明する図である。
【図１０】インプラント治療におけるインプラントした歯の断面概要図である。
【符号の説明】
【００４５】
１：歯槽骨
２：フィクスチャー
３：アバットメント
３ａ：アバットメント基部
３c ：支台歯
４：炎症防止シート
５：孔
５ａ：孔の折曲げ部
６：歯肉部
７：歯肉溝
８：歯冠
９：余剰歯科用セメント層
１０：隣接する歯
１１：歯科用セメント層
【図１】
2019021337.tif 000003
【図２】
2019021337.tif 000004
【図３】
2019021337.tif 000005
【図４】
2019021337.tif 000006
【図５】
2019021337.tif 000007
【図６】
2019021337.tif 000008
【図７】
2019021337.tif 000009
【図８】
2019021337.tif 000010
【図９】
2019021337.tif 000011
【図１０】
2019021337.tif 000012
【国際調査報告】
2019021337.tif 000013
2019021337.tif 000014
2019021337.tif 000015
2019021337.tif 000016